(57)【特許請求の範囲】
【請求項１】
直流電源の正極および負極のそれぞれに回転機の端子を選択的に接続する高電位側のスイッチング素子および低電位側のスイッチング素子の直列接続体を備えて構成される直流交流変換回路を操作することで前記回転機の制御量を制御する回転機の制御装置において、
前記直流交流変換回路の入力端子と前記直流電源とは、開閉手段を介して接続されるものであり、
前記回転機を流れる電流を検出する検出手段と、
前記スイッチング素子の短絡異常の有無を判断する判断手段と、
該判断手段によって前記短絡異常があると判断される場合、前記直流交流変換回路を構成するスイッチング素子を全てオフ状態とするフェールセーフ手段と、
前記判断手段によって前記短絡異常があると判断される場合、前記開閉手段を開操作する手段とを備え、
前記フェールセーフ手段によって前記全てオフ状態とされて且つ前記開閉手段が開状態とされる場合、前記回転機の全端子の電位が同一電位となるスイッチング状態を回避しつつ前記直流交流変換回路を構成する一部のスイッチング素子をオン操作し、該オン操作に伴って、前記検出手段によって検出される電流の振幅中心とゼロとの乖離が減少するか否かに基づき、前記短絡異常箇所を特定する特定手段とを備えることを特徴とする回転機の制御装置。
【請求項２】
前記特定手段は、前記フェールセーフ手段によって前記全てオフ状態とされることで前記検出手段によって検出される電流が前記検出手段の検出可能範囲から外れる場合、前記回転機の全端子の電位が同一電位となるスイッチング状態を回避しつつ前記直流交流変換回路を構成する一部のスイッチング素子をオン操作し、該オン操作によって前記回転機の電流が前記検出可能範囲に収まるか否かに基づき、前記短絡異常箇所を特定することを特徴とする請求項１記載の回転機の制御装置。
【請求項３】
前記特定手段は、前記オン操作するスイッチング素子を、前記直流交流変換回路を構成するスイッチング素子のうち前記回転機の１の端子と前記直流電源の１の電極に接続されるものとして且つ、該スイッチング素子を順次切り替えることを特徴とする請求項１または２記載の回転機の制御装置。
【請求項４】
前記特定手段は、前記フェールセーフ手段によって前記全てオフ状態とされることで前記検出手段によって検出される電流が前記検出手段の検出可能範囲から外れる場合、前記スイッチング素子のオン操作を行ない、該オン操作によって前記回転機の電流の振幅中心とゼロとの乖離が減少することで該オン操作したスイッチング素子に直列接続されるスイッチング素子の異常であると特定するものであり、
前記フェールセーフ手段は、前記特定手段によって短絡異常箇所が特定される場合、そのときに前記オン操作されているスイッチング素子をオン状態に固定することを特徴とする請求項３記載の回転機の制御装置。
【請求項５】
前記特定手段は、前記オン操作するスイッチング素子を、前記直流電源の１の電極に接続されるもののうちの前記回転機の１の端子を除いた残りの全ての端子に接続されるものとして且つ、該スイッチング素子を順次切り替えることを特徴とする請求項１または２記載の回転機の制御装置。
【請求項６】
前記特定手段は、前記オン操作するスイッチング素子を、前記直流電源の１の電極に接続されるもののうちの前記回転機の１の端子を除いた残りの全ての端子に接続されるもののいくつかと、前記直流交流変換回路を構成するスイッチング素子のうち前記回転機の１の端子と前記直流電源の１の電極に接続されるもののいくつかとを順次切り替えることを特徴とする請求項１または２記載の回転機の制御装置。
【請求項７】
前記直流電源は、高電圧電源であり、
前記高電圧電源の電圧を降圧して当該制御装置の電源となる低電圧電源に出力する降圧コンバータをさらに備え、
前記降圧コンバータは、前記開閉手段を介して前記高電圧電源に接続されるものであり、
前記フェールセーフ手段は、前記特定手段によって短絡異常箇所が特定される場合、該短絡異常箇所と同一アームの他のスイッチング素子を全てオン状態とする処理を行なって且つ、前記開閉手段を閉操作するものであることを特徴とする請求項１〜３，５，６のいずれか１項に記載の回転機の制御装置。
【請求項８】
前記直流電源には、前記開閉手段を介してコンデンサが並列接続されており、
前記特定手段は、前記コンデンサの電圧が規定値以下となるまで前記スイッチング素子のオン操作を待機する待機手段を備えることを特徴とする請求項１〜７のいずれか１項に記載の回転機の制御装置。
【請求項９】
前記特定手段は、前記フェールセーフ手段によって前記全てオフ状態とされることで前記検出手段によって検出される電流が前記検出手段の検出可能範囲内である場合、前記回転機の各端子を流れる電流の平均値の相対的な大きさに基づき異常の有無を診断することを特徴とする請求項１〜８のいずれか１項に記載の回転機の制御装置。
【請求項１０】
前記検出手段は、前記回転機の端子のうちの１の端子を除く残りの全端子のそれぞれの電流を検出するものであり、
前記１の端子を流れる電流を、前記残りの全端子のそれぞれを流れる電流に基づき算出する手段を備えることを特徴とする請求項１〜９のいずれか１項に記載の回転機の制御装置。
【発明の詳細な説明】
【技術分野】
【０００１】
本発明は、直流電源の正極および負極のそれぞれに回転機の端子を選択的に接続する高電位側のスイッチング素子および低電位側のスイッチング素子の直列接続体を備えて構成される直流交流変換回路を操作することで前記回転機の制御量を制御する回転機の制御装置に関する。
【背景技術】
【０００２】
この種の制御装置としては、例えば下記特許文献１に見られるように、３相電動機に接続されるインバータのスイッチング素子に短絡異常が生じることでスイッチング素子に過電流が流れる場合、インバータを構成するスイッチング素子を全てオフ状態とするものも提案されている。そして、この装置では、全てオフ状態とされているときにおいて３相電動機の各相を流れる電流のゼロ点に対するずれ量に基づき、短絡異常が生じたスイッチング素子を特定することが提案されている。
【先行技術文献】
【特許文献】
【０００３】
【特許文献１】特開２００８−１１６８３号公報
【発明の概要】
【発明が解決しようとする課題】
【０００４】
ところで、３相電動機の各相は互いに接続されているため、キルヒホッフの法則を用いることで、３相電動機の２相を流れる電流から残りの１相を流れる電流を検出することができる。このため、３相電動機の相電流を検出する手段として、２相のそれぞれの電流を検出する電流センサのみを備える構成も提案されている。
【０００５】
一方、上記短絡異常が生じることでスイッチング素子の全てをオフ状態とした場合に３相電動機を流れる電流の振幅は、３相電動機の回転速度が大きくなるほど大きくなる。このため、高回転速度領域においては、３相電動機を流れる電流が電流センサの検出可能範囲を超え得ることが発明者らによって見出された。
【０００６】
ここで、上記のように３相電動機を流れる電流が上限または下限に張り付く場合において、２相のそれぞれの電流を検出する電流センサの検出値を用いて短絡異常が生じたスイッチング素子を特定することは極めて困難となる。なぜなら、１相の上側アームに短絡異常が生じた場合、その１相の電流がゼロ点に対して上側にずれて且つ残りの２相の電流がゼロ点に対して下側にずれるのであるが、電流センサが下限側の電流と上限側の電流とを検出するものである場合、残りの１相の電流がゼロと算出されるためである。
【０００７】
本発明は、上記課題を解決する過程でなされたものであり、その目的は、直流電源の正極および負極のそれぞれに回転機の端子を選択的に接続する高電位側のスイッチング素子および低電位側のスイッチング素子の直列接続体を備えて構成される直流交流変換回路について、そのスイッチング素子の短絡異常を好適に特定する新たな装置を提供することにある。
【課題を解決するための手段】
【０００８】
以下、上記課題を解決するための手段、およびその作用効果について記載する。
【０００９】
請求項１記載の発明は、直流電源の正極および負極のそれぞれに回転機の端子を選択的に接続する高電位側のスイッチング素子および低電位側のスイッチング素子の直列接続体を備えて構成される直流交流変換回路を操作することで前記回転機の制御量を制御する回転機の制御装置において、前記直流交流変換回路の入力端子と前記直流電源とは、開閉手段を介して接続されるものであり、前記回転機を流れる電流を検出する検出手段と、前記スイッチング素子の短絡異常の有無を判断する判断手段と、該判断手段によって前記短絡異常があると判断される場合、前記直流交流変換回路を構成するスイッチング素子を全てオフ状態とするフェールセーフ手段と、前記判断手段によって前記短絡異常があると判断される場合、前記開閉手段を開操作する手段とを備え、前記フェールセーフ手段によって前記全てオフ状態とされて且つ前記開閉手段が開状態とされる場合、前記回転機の全端子の電位が同一電位となるスイッチング状態を回避しつつ前記直流交流変換回路を構成する一部のスイッチング素子をオン操作し、該オン操作に伴って、前記検出手段によって検出される電流の振幅中心とゼロとの乖離が減少するか否かに基づき、前記短絡異常箇所を特定する特定手段とを備えることを特徴とする。
【００１０】
短絡異常が生じる場合において、直流交流変換回路を構成する全スイッチング素子をオフ状態とすると、回転機の各端子を流れる電流は、ゼロ点に対してずれたものとなり、各端子を流れる電流は非対称となる傾向がある。これに対し、回転機の全端子の電位が同一となるような接続状態を実現する場合、回転機の各端子を流れる電流はゼロ点に対して対称性を有する傾向や、電流の絶対値が低減される傾向がある。
【００１１】
上記発明では、この点に鑑み、スイッチング素子の電子制御によるオン操作によっては全端子の電位が同一電位とならないようなオン操作を行う。そして、それにもかかわらず全端子の電位が同一の電位となる場合には、全端子を同一の電位とするうえでオン操作する必要があるにもかかわらず特定手段によってはオン操作のなされなかったスイッチング素子に短絡異常があると特定することができる。
【００１２】
請求項２記載の発明は、請求項１記載の発明において、前記特定手段は、前記フェールセーフ手段によって前記全てオフ状態とされることで前記検出手段によって検出される電流が前記検出手段の検出可能範囲から外れる場合、前記回転機の全端子の電位が同一電位となるスイッチング状態を回避しつつ前記直流交流変換回路を構成する一部のスイッチング素子をオン操作し、該オン操作によって前記回転機の電流が前記検出可能範囲に収まるか否かに基づき、前記短絡異常箇所を特定することを特徴とする。
【００１３】
短絡異常が生じる場合において、直流交流変換回路を構成する全スイッチング素子をオフ状態とした際の回転機の各端子を流れる電流の絶対値は、回転機の回転速度が大きくなることで大きくなり、上記検出可能範囲から外れる現象が生じることが発明者らによって見出されている。一方、短絡異常時であって回転機の回転速度が大きい場合であっても、全端子の電位を同一とすることで、回転機の各端子を流れる電流の絶対値は小さくなる傾向がある。上記発明では、この点に鑑み、特定手段を構成した。
【００１４】
請求項３記載の発明は、請求項１または２記載の発明において、前記特定手段は、前記オン操作するスイッチング素子を、前記直流交流変換回路を構成するスイッチング素子のうち前記回転機の１の端子と前記直流電源の１の電極に接続されるものとして且つ、該スイッチング素子を順次切り替えることを特徴とする。
【００１５】
上記発明では、検出手段によって検出される電流が所定に変化する際に前記オン操作されたスイッチング素子に直列接続されるスイッチング素子に短絡異常がある旨特定することができる。
【００１６】
請求項４記載の発明は、請求項３記載の発明において、前記特定手段は、前記フェールセーフ手段によって前記全てオフ状態とされることで前記検出手段によって検出される電流が前記検出手段の検出可能範囲から外れる場合、前記スイッチング素子のオン操作を行ない、該オン操作によって前記回転機の電流の振幅中心とゼロとの乖離が減少することで該オン操作したスイッチング素子に直列接続されるスイッチング素子の異常であると特定するものであり、前記フェールセーフ手段は、前記特定手段によって短絡異常箇所が特定される場合、そのときに前記オン操作されているスイッチング素子をオン状態に固定することを特徴とする。
【００１７】
上記発明では、回転機の各端子を流れる電流の絶対値が過度に大きくなる事態を、特定手段による処理の後にも継続して回避することできる。
【００１８】
請求項５記載の発明は、請求項１または２記載の発明において、前記特定手段は、前記オン操作するスイッチング素子を、前記直流電源の１の電極に接続されるもののうちの前記回転機の１の端子を除いた残りの全ての端子に接続されるものとして且つ、該スイッチング素子を順次切り替えることを特徴とする。
【００１９】
上記発明では、検出手段によって検出される電流が所定に変化する際に前記オン操作されたスイッチング素子に直列接続されるスイッチング素子、またはこれらと直流電源の同一電極に接続されるスイッチング素子に短絡異常がある旨特定することができる。
【００２０】
請求項６記載の発明は、請求項１または２記載の発明において、前記特定手段は、前記オン操作するスイッチング素子を、前記直流電源の１の電極に接続されるもののうちの前記回転機の１の端子を除いた残りの全ての端子に接続されるもののいくつかと、前記直流交流変換回路を構成するスイッチング素子のうち前記回転機の１の端子と前記直流電源の１の電極に接続されるもののいくつかとを順次切り替えることを特徴とする。
【００２１】
上記発明では、短絡異常箇所をより迅速に特定することができる。
【００２２】
請求項７記載の発明は、請求項１〜３，５，６のいずれか１項に記載の発明において、前記直流電源は、高電圧電源であり、前記高電圧電源の電圧を降圧して当該制御装置の電源となる低電圧電源に出力する降圧コンバータをさらに備え、前記降圧コンバータは、前記開閉手段を介して前記高電圧電源に接続されるものであり、前記フェールセーフ手段は、前記特定手段によって短絡異常箇所が特定される場合、該短絡異常箇所と同一アームの他のスイッチング素子を全てオン状態とする処理を行なって且つ、前記開閉手段を閉操作するものであることを特徴とする。
【００２３】
上記発明では、開閉手段が開状態とされる場合、高電圧電源の蓄電エネルギを制御装置への供給可能エネルギとして利用することができない。このため、低電圧電源の蓄電エネルギが少量となることで、制御装置が正常に動作しなくなるため、低電圧電源の蓄電エネルギによって走行可能距離が制限される。
【００２４】
一方、アームの全スイッチング素子がオン状態とされることで、回転機の各端子を流れる電流の絶対値が過度に大きくなる事態を回避することができる。上記発明では、この点に着目し、アームの全スイッチング素子をオン状態とすることで回転機の各端子を流れる電流の絶対値が過度に大きくなる事態を回避しつつ、開閉手段を閉状態とすることで、高電圧電源の電圧を有効利用する。
【００２５】
請求項８記載の発明は、請求項１〜７のいずれか１項に記載の発明において、前記直流電源には、前記開閉手段を介してコンデンサが並列接続されており、前記特定手段は、前記コンデンサの電圧が規定値以下となるまで前記スイッチング素子のオン操作を待機する待機手段を備えることを特徴とする。
【００２６】
コンデンサの電圧が高い状態では、スイッチング素子のオン操作により、１つの直列接続体を構成する高電位側のスイッチング素子および低電位側のスイッチング素子を貫通する電流が流れ、この電流が過度に大きくなるおそれがある。上記発明では、この点に鑑み、待機手段を備えた。
【００２７】
請求項９記載の発明は、請求項１〜８のいずれか１項に記載の発明において、前記特定手段は、前記フェールセーフ手段によって前記全てオフ状態とされることで前記検出手段によって検出される電流が前記検出手段の検出可能範囲内である場合、前記回転機の各端子を流れる電流の平均値の相対的な大きさに基づき異常の有無を診断することを特徴とする。
【００２８】
検出される電流が検出可能範囲内にある場合、スイッチング素子のオン操作に伴う電流の変化量が小さくなると考えられ、ひいては特定精度が低下すると考えられる。上記発明では、この点に鑑み、電流の平均値の相対的な大きさに基づく異常の有無の診断を行う。
【００２９】
請求項１０記載の発明は、請求項１〜９のいずれか１項に記載の発明において、前記検出手段は、前記回転機の端子のうちの１の端子を除く残りの全端子のそれぞれの電流を検出するものであり、前記１の端子を流れる電流を、前記残りの全端子のそれぞれを流れる電流に基づき算出する手段を備えることを特徴とする。
【００３０】
上記の場合、検出される電流が検出可能範囲から外れることで、電流の相対的な大きさに基づく短絡異常の特定が特に困難となる。このため、スイッチング素子のオン操作に伴う電流変化を利用するメリットが特に大きい。
【図面の簡単な説明】
【００３１】
【図１】第１の実施形態にかかるシステム構成図。
【図２】同実施形態にかかるモータジェネレータの制御システムの全体構成を示す図。
【図３】短絡異常時の問題点を示す図。
【図４】上記実施形態の異常診断原理を説明するための図。
【図５】同実施形態にかかる異常診断処理の手順を示す流れ図。
【図６】第２の実施形態の異常診断原理を説明するための図。
【図７】同実施形態にかかる異常診断処理の手順を示す流れ図。
【図８】第３の実施形態にかかる異常診断処理の手順を示す流れ図。
【図９】第４の実施形態にかかるシステム構成図。
【図１０】同実施形態にかかる異常診断処理の手順を示す流れ図。
【図１１】上記実施形態の変形例にかかる異常診断手法を説明するための図。
【発明を実施するための形態】
【００３２】
＜第１の実施形態＞
以下、本発明にかかる回転機の制御装置をパラレルハイブリッド車に適用した第１の実施形態について、図面を参照しつつ説明する。
【００３３】
図１に、本実施形態にかかる電動機の制御システムの全体構成を示す。図示されるように、モータジェネレータ１０は、３相の永久磁石同期回転機である。また、モータジェネレータ１０は、突極性を有する回転機（突極機）である。詳しくは、モータジェネレータ１０は、埋め込み磁石同期モータ（ＩＰＭＳＭ）である。モータジェネレータ１０の出力軸は、内燃機関１２の出力軸（クランク軸）と同軸上にて直結されている。このため、モータジェネレータ１０の出力軸と内燃機関１２のクランク軸とは、互いに相対回転することなく同軸上で一体的に回転する。そして、モータジェネレータ１０の出力軸は、トランスミッション１４を介して駆動輪１６に連結されている。
【００３４】
モータジェネレータ１０は、直流交流変換回路（インバータＩＶ）に接続されている。
【００３５】
一方、制御装置４０は、モータジェネレータ１０を制御対象とし、インバータＩＶを操作対象とする。制御装置４０は、モータジェネレータ１０の各種状態量を検出するセンサ（図示略）の出力等を取り込み、これに基づきインバータＩＶを操作することで、モータジェネレータ１０の制御量を制御する。
【００３６】
図２に、上記インバータＩＶと制御装置４０との間の電子機器の詳細を示す。
【００３７】
上記インバータＩＶは、抵抗体２１およびリレーＳＭＲ２の直列接続体とリレーＳＭＲ１との並列接続体を介して、高電圧バッテリ２０に接続されている。インバータＩＶは、パワー素子としての高電位側のスイッチング素子Ｓｗｐおよび低電位側のスイッチング素子Ｓｗｎの直列接続体が３つ並列接続されて構成されている。そして、これら高電位側のスイッチング素子Ｓｗｐおよび低電位側のスイッチング素子Ｓｗｎの接続点が、モータジェネレータ１０の各相にそれぞれ接続されている。
【００３８】
上記高電位側のスイッチング素子Ｓｗｐおよび低電位側のスイッチング素子Ｓｗｎのそれぞれの入出力端子間（コレクタおよびエミッタ間）には、高電位側のフリーホイールダイオードＦＤｐおよび低電位側のフリーホイールダイオードＦＤｎのカソードおよびアノードが接続されている。なお、上記スイッチング素子Ｓｗｐ，Ｓｗｎは、いずれも絶縁ゲートバイポーラトランジスタ（ＩＧＢＴ）にて構成されている。また、スイッチング素子Ｓｗｐ，Ｓｗｎは、その入力端子および出力端子間に流れる電流と相関を有する微少電流を出力するセンス端子Ｓｔを備えている。
【００３９】
センス端子Ｓｔの出力する微少電流は、シャント抵抗４３を流れ、これによる電圧降下量が、スイッチング素子Ｓｗ＃（＃＝ｐ，ｎ）を駆動するためのドライブユニットＤＵに取り込まれる。ドライブユニットＤＵは、シャント抵抗４３における電圧降下量に基づき、スイッチング素子Ｓｗ＃の入力端子および出力端子間に流れる電流が過電流判定閾値以上となると判断される場合に、スイッチング素子Ｓｗ＃を強制的にオフ状態とする機能を有する。なお、ドライブユニットＤＵは、スイッチング素子Ｓｗ＃を強制的にオフ状態とする場合、フェール信号ＦＬを出力する。
【００４０】
一方、上記制御装置４０は、インバータＩＶの入力端子の電圧（コンデンサ２２の電圧）を検出する電圧センサ２４や、モータジェネレータ１０のＶ相およびＷ相のそれぞれの電流を検出する電流センサ２６，２８、モータジェネレータ１０の電気角を検出する回転角度センサ３０等の検出値を取り込む。そして、制御装置４０は、これら各種センサの検出値に基づき、インバータＩＶのＵ相、Ｖ相、およびＷ相のそれぞれについてのスイッチング素子Ｓｗｐを操作する操作信号ｇｕｐ，ｇｖｐ，ｇｗｐと、スイッチング素子Ｓｗｎを操作する操作信号ｇｕｎ，ｇｖｎ，ｇｗｎとを生成し出力する。これにより、スイッチング素子Ｓｗｐ，Ｓｗｎは、それらの導通制御端子（ゲート）に接続されるドライブユニットＤＵを介して制御装置４０により操作される。
【００４１】
なお、制御装置４０は、高電圧バッテリ２０の端子電圧（例えば百Ｖ以上）よりも低電圧の低電圧バッテリ４２を電源とする。
【００４２】
ちなみに、制御装置４０を備える低電圧システムは、車体をグランド電位としおり、これとは相違するグランド電位を有して且つインバータＩＶを備える高電圧システムとは、図示しないフォトカプラ等の絶縁手段を備えるインターフェース３２によって絶縁されている。そして、上記操作信号ｇ＊＃（＊＝ｕ，ｖ，ｗ、＃＝ｐ，ｎ）は、インターフェース３２を介して高電圧システムに出力される。
【００４３】
上記インターフェース３２は、基本的には、低電圧システムと高電圧システムとを絶縁するものであるが、その１次側には、ドライブユニットＤＵからフェール信号ＦＬが出力される場合にインバータＩＶをシャットダウンするフェール処理部３２ａをさらに備えている。ここで、フェール処理部３２ａは、例えば特開２００９−６０３５８号公報に記載されたもの等によって構成すればよい。ここで、スイッチング素子Ｓｗ＃を流れる電流が過電流判定閾値を超える事態は、主に、スイッチング素子Ｓｗ＃に、電気的な操作にかかわらず常時導通状態となる短絡異常が生じる場合に生じる。これは、短絡異常が生じたスイッチング素子とこれに直列接続されるスイッチング素子がオン操作されることでこれら一対のスイッチング素子Ｓｗｐ，Ｓｗｎを貫通する電流が流れるためである。
【００４４】
以下では、短絡異常が生じた場合の短絡異常箇所の特定について説明する。
【００４５】
図３（ａ）は、Ｗ相の上側アームのスイッチング素子Ｓｗｐに短絡異常が生じることで他の全スイッチング素子Ｓｗｐ，Ｓｗｎをオフ状態とした際の等価回路図を示し、図３（ｂ）は、そのときの３相の電流の挙動を示す。図３（ｂ）に示すように、この場合、３相の電流の振幅中心がゼロから乖離する現象が生じ、電流の絶対値の最大値が大きくなる。特に、この際、Ｗ相の電流の振幅中心がゼロに対して上側にずれて且つ、Ｕ相およびＶ相の電流の振幅中心がゼロよりも下側にずれる。ちなみに、Ｗ相の下側アームに短絡異常が生じる場合には、Ｗ相の電流の振幅中心がゼロに対して下側にずれて且つ、Ｕ相およびＶ相の電流の振幅中心がゼロよりも上側にずれる。そして、これらいずれの場合にも、Ｕ相の電流ｉｕ、Ｖ相の電流ｉｖおよびＷ相の電流ｉｗの間には、「｜ｉｗ｜＝｜ｉｕ｜＋｜ｉｖ｜」の関係がある。このため、電流センサ２６，２８の検出値をフィルタ処理するなどして、これらの平均値を算出することで、いずれの相のいずれのアームの異常であるかを特定することが可能となる。
【００４６】
ところで、上記電流の絶対値は、モータジェネレータ１０の回転速度が大きくなるほど大きくなる傾向がある。そしてこれにより、電流の平均値が電流センサ２６，２８の検出可能範囲を超える事態が生じるおそれがある。この場合、電流センサ２６，２８による電流の検出対象となるＶ相やＷ相において短絡異常が生じる場合に特に問題が生じる。すなわち、この場合、電流センサ２６，２８の出力をフィルタ処理するなどして算出されるＶ相の電流の平均値とＷ相の電流の平均値とが符号が逆であって絶対値が同一となるおそれがある。これは、電流センサ２６，２８における検出可能範囲以上の検出値は検出可能範囲の上限値または下限値となることによる。そしてこの場合、キルヒホッフの法則を利用して算出されるＵ相の電流の平均値がゼロとなるため、上記「｜ｉｗ｜＝｜ｉｕ｜＋｜ｉｖ｜」の関係を満たさず、短絡異常箇所を特定することができなくなる。
【００４７】
そこで本実施形態では、図４に示すように上下アームが短絡されることによる電流の変化に着目して短絡異常箇所を特定する。図４（ａ）は、短絡異常の生じたＷ相について、異常の生じていない側のアームである下側アームをオン操作することを示している。この場合、図４（ｂ）に示すように、各相の電流の振幅中心とゼロとの乖離が減少する。このため、スイッチング素子Ｓｗ＃を１つずつオン操作して電流の検出値が検出可能範囲に収まったときに、そのスイッチング素子に直列接続されるスイッチング素子が短絡異常であるとする。
【００４８】
図５に、本実施形態にかかる異常個所の特定処理の手順を示す。この処理は、制御装置４０によって、例えば所定周期で繰り返し実行される。
【００４９】
この一連の処理では、まずステップＳ１０において、フェール信号ＦＬの入力があるか否かを判断する。そして、ステップＳ１０において肯定判断される場合、ステップＳ１２において、リレーＳＭＲ１，ＳＭＲ２をオフ操作する。なお、モータジェネレータ１０の稼動時には、通常、リレーＳＭＲ１がオン状態且つＳＭＲ２がオフ状態であるため、実際にはリレーＳＭＲ１をオフ操作すればよい。続くステップＳ１４においては、異常が解消したか否かを判断する。この処理は、モータジェネレータ１０を流れる電流の振幅中心がゼロから大きく乖離していない場合に解消と判断するなどして行うことができる。
【００５０】
上記ステップＳ１４において否定判断される場合、短絡異常が生じていると考えられることから、ステップＳ１６において、電流センサ２６，２８による電流の検出値ｉｖ，ｉｗの平均値（フィルタ処理後の値）の絶対値が閾値電流Ｉｔｈ以上であるか否かを判断する。ここで、閾値電流Ｉｔｈは、電流センサ２６，２８による電流の検出可能範囲の上限および下限に応じて設定される。この処理は、検出値ｉｖ，ｉｗの平均値の信頼性を評価するためのものである。すなわち、検出値ｉｖ，ｉｗが検出可能範囲から外れる場合には、検出値ｉｖ，ｉｗの平均値が検出可能範囲の上限または下限に近づく。そしてこの場合には、実際の平均値との間に乖離が生じる。
【００５１】
ステップＳ１６において否定判断される場合、ステップＳ１８において、検出値ｉｖ，ｉｗの平均値に基づき異常箇所を特定し、これに基づきフェールセーフ処理を行う。ここで、フェールセーフ処理は、短絡異常の生じたスイッチング素子Ｓｗ＃に直列接続されるスイッチング素子をオン操作しそれ以外をオフ操作する処理とすればよい。
【００５２】
一方、ステップＳ１６において肯定判断される場合、ステップＳ２０において、オン操作するスイッチング素子を指定する変数ｉを「１」に設定する。続くステップＳ２２においては、変数ｉによって指定されるスイッチング素子をオン操作する。すなわち、変数ｉが「１」なら操作信号ｇｕｐをオン操作指令とし、変数ｉが「２」なら操作信号ｇｕｎをオン操作指令とし、変数ｉが「３」なら操作信号ｇｖｐをオン操作指令とし、変数ｉが「４」なら操作信号ｇｖｎをオン操作指令とし、変数ｉが「５」なら操作信号ｇｗｐをオン操作指令とし、変数ｉが「６」なら操作信号ｇｗｎをオン操作指令とする。
【００５３】
続くステップＳ２４においては、検出値ｉｖ，ｉｗの平均値の絶対値が閾値電流Ｉｔｈよりも小さいか否かを判断する。この処理は、現在オン操作されているスイッチング素子に直列接続されたスイッチング素子に短絡異常が生じたか否かを判断するためのものである。そして、ステップＳ２４において否定判断される場合、ステップＳ２６において、変数「ｉ」をインクリメントしステップＳ２２に戻る。これに対し、ステップＳ２４において肯定判断される場合、ステップＳ２８においてフェールセーフ処理を行うべく、現在のスイッチング状態を固定する。これにより、短絡異常が生じたスイッチング素子に直列接続されるスイッチング素子のみがオン操作されることとなる。
【００５４】
なお、ステップＳ１８、Ｓ２８の処理が完了する場合や、ステップＳ１０において否定判断される場合、さらにはステップＳ１４において肯定判断される場合には、この一連の処理を一旦終了する。
【００５５】
以上詳述した本実施形態によれば、以下の効果が得られるようになる。
【００５６】
（１）短絡異常があると判断される場合であって且つ検出値ｉｖ，ｉｗの平均値の絶対値が大きい場合、インバータＩＶのスイッチング素子Ｓｗ＃を１つずつ順次オン操作していき、絶対値が小さくなることで短絡異常箇所を特定した。これにより、短絡異常箇所を特定することができる。
【００５７】
（２）短絡異常箇所が特定される場合、そのときにオン操作されているスイッチング素子をオン状態に固定した。これにより、電流の絶対値が大きくならないようにするフェールセーフ処理を迅速に実行することができる。
【００５８】
（３）短絡異常が生じた際の検出値ｉｖ，ｉｗの絶対値が小さい場合、相電流の値同士の関係に基づき短絡異常箇所を特定した。これにより、スイッチングによる電流変化が小さくなる状況下においても短絡異常箇所を高精度に特定することができる。
【００５９】
（４）モータジェネレータ１０のＵ相の電流を直接検出する手段を備えず、Ｖ相の電流を検出する電流センサ２６とＷ相の電流を検出する電流センサ２８とのそれぞれの検出値に基づき算出した。この場合、電流のゼロ点からのずれに基づく短絡異常箇所の特定が特に困難となりやすいため、スイッチング素子のオン操作に伴う電流変化を利用するメリットが特に大きい。
＜第２の実施形態＞
以下、第２の実施形態について、先の第１の実施形態との相違点を中心に図面を参照しつつ説明する。
【００６０】
図６に本実施形態にかかる短絡異常箇所の特定原理を示す。図６（ａ）は、Ｗ相の上側アームのスイッチング素子Ｓｗｐに短絡異常が生じている場合に、上側アームの他の２相のスイッチング素子Ｓｗｐをオン操作する例を示しており、図６（ｂ）は、この場合にモータジェネレータ１０を流れる電流を示している。
【００６１】
図７に、本実施形態にかかる異常箇所の特定処理の手順を示す。この処理は、制御装置４０によって、例えば所定周期で繰り返し実行される。なお、図７において、先の図５に示した処理に対応する処理については、便宜上同一のステップ番号を付している。
【００６２】
この一連の処理では、上記ステップＳ２２の処理に代えて、ステップＳ２２ａの処理として、同一アームの２相のスイッチング素子Ｓｗ＃を順次オン操作する。詳しくは、変数ｉが「１」なら操作信号ｇｕｐ，ｇｖｐをオン操作指令とし、変数ｉが「２」なら操作信号ｇｕｐ，ｇｗｐをオン操作指令とし、変数ｉが「３」なら操作信号ｇｖｐ，ｇｗｐをオン操作指令とする。また、変数ｉが「４」なら操作信号ｇｕｎ，ｇｖｎをオン操作指令とし、変数ｉが「５」なら操作信号ｇｕｎ，ｇｗｎをオン操作指令とし、変数ｉが「６」なら操作信号ｇｖｎ，ｇｗｎをオン操作指令とする。
【００６３】
そして、ステップＳ２４において肯定判断された時点でステップＳ２８においてそのときのスイッチング状態を固定する。
【００６４】
なお、上記特定処理では、実際には、短絡異常箇所の絞込みをしているものの、一義的な特定をしているわけではない。すなわち、例えば変数ｉが「１」の場合にステップＳ２４において肯定判断される場合、Ｗ相の上側アームのスイッチング素子Ｓｗｐ、Ｕ相の下側アームのスイッチング素子Ｓｗｎ、Ｖ相の下側アームのスイッチング素子Ｓｗｎのいずれかが短絡異常であると特定しているに過ぎない。
＜第３の実施形態＞
以下、第３の実施形態について、先の第１の実施形態との相違点を中心に図面を参照しつつ説明する。
【００６５】
本実施形態では、上記第１の実施形態よりも少ない処理数で短絡異常箇所を特定する。
【００６６】
図８に、本実施形態にかかる特定処理の手順を示す。この処理は、先の図５のステップＳ２０〜Ｓ２２の処理に代わるものであり、短絡異常が生じていると判断されることをトリガとして実行される。
【００６７】
この一連の処理では、まずステップＳ３０において、操作信号ｇｕｐ，ｇｖｐをオン操作指令とする。この処理は、短絡異常箇所が、Ｕ相またはＶ相の下側アームのスイッチング素子Ｓｗｎと、Ｗ相の上側アームのスイッチング素子Ｓｗｐとのいずれかであるか、それ以外かを特定するためのものである。続くステップＳ３２においては、電流の検出値ｉｖ，ｉｗの平均値の絶対値が減少して閾値電流Ｉｔｈ未満となったか否かを判断する。そしてステップＳ３２において肯定判断される場合、ステップＳ３４において操作信号ｇｕｐをオン操作指令とする。ここで、ステップＳ３２において肯定判断された時点では、短絡異常箇所を、Ｕ相またはＶ相の下側アームのスイッチング素子Ｓｗｎと、Ｗ相の上側アームのスイッチング素子Ｓｗｐとのいずれかに特定することができている。このため、ステップＳ３４においては、そのうちの１つであるＵ相の下側アームのスイッチング素子Ｓｗｎに短絡異常が生じているか否かを判断すべく、操作信号ｇｕｐをオン操作指令とする。
【００６８】
そして、ステップＳ３６において、電流の検出値ｉｖ，ｉｗの平均値の絶対値が減少して閾値電流Ｉｔｈ未満となったと判断される場合、ステップＳ３８において、Ｕ相の下側アームの短絡異常であると判断する。これに対し、ステップＳ３６において否定判断される場合、短絡異常箇所がＶ相の下側アームのスイッチング素子ＳｗｎとＷ相の上側アームのスイッチング素子Ｓｗｐとのいずれであるかを特定すべく、操作信号ｇｖｐをオン操作指令とする。そしてステップＳ４２において、電流の検出値ｉｖ，ｉｗの平均値の絶対値が減少して閾値電流Ｉｔｈ未満となったと判断される場合、ステップＳ４４においてＶ相の下側アームの短絡異常であると判断する。これに対し、ステップＳ４２において否定判断される場合、Ｗ相の上側アームの短絡異常であると判断する。
【００６９】
一方、上記ステップＳ３２において否定判断される場合、ステップＳ４８において、操作信号ｇｗｐをオン操作指令とする。そして、ステップＳ５０において、電流の検出値ｉｖ，ｉｗの平均値の絶対値が減少して閾値電流Ｉｔｈ未満となったと判断される場合、ステップＳ５２においてＷ相の下側アームの短絡異常であると判断する。これに対し、ステップＳ５０において否定判断される場合、ステップＳ５４において、操作信号ｇｕｎをオン操作指令とする。そして、ステップＳ５６において、電流の検出値ｉｖ，ｉｗの平均値の絶対値が減少して閾値電流Ｉｔｈ未満となったと判断される場合、ステップＳ５８においてＵ相の上側アームの短絡異常であると判断する一方、ステップＳ５６において否定判断される場合、ステップＳ６０においてＶ相の上側アームの短絡異常であると判断する。
＜第４の実施形態＞
以下、第４の実施形態について、先の第１の実施形態との相違点を中心に図面を参照しつつ説明する。
【００７０】
図９に、本実施形態にかかるシステム構成を示す。なお、図９において、先の図１に示した部材に対応するものについては、便宜上同一の符号を付している。
【００７１】
図示されるように、リレーＳＭＲ１，ＳＭＲ２とインバータＩＶとの間には、ＤＣＤＣコンバータ５０の入力端子が接続されている。ＤＣＤＣコンバータ５０は、入力電圧を降圧して出力する降圧コンバータである。ＤＣＤＣコンバータ５０の出力電圧は、低電圧バッテリ４２に印加される。これにより、高電圧バッテリ２０の電力は、ＤＣＤＣコンバータ５０を介して、低電圧バッテリ４２や、低電圧システム内の機器に供給可能とされている。
【００７２】
こうした構成の場合、低電圧バッテリ４２の充電手段は、ＤＣＤＣコンバータ５０のみとなる。このため、先の第１の実施形態のように、フェールセーフ処理として、リレーＳＭＲ１，ＳＭＲ２を開状態とする場合には、リンプホーム処理によって走行可能距離が低電圧バッテリ４２の蓄電量によって制限されるおそれがある。そこで本実施形態では、フェールセーフ処理を上記第１の実施形態のものから変更する。
【００７３】
図１０に、本実施形態にかかる異常個所の特定処理の手順を示す。この処理は、制御装置４０によって、例えば所定周期で繰り返し実行される。
【００７４】
この一連の処理では、ステップＳ１６において肯定判断される場合、電圧センサ２４によって検出されるコンデンサ２２の電圧Ｖが閾値電圧Ｖｔｈ以下となるまで待機する（ステップＳ７０）。この処理は、ステップＳ２２の処理によってスイッチング素子Ｓ＊＃を順次オン操作した場合に、短絡異常が生じているスイッチング素子に直列接続されたスイッチング素子がオン操作されることで、それらに貫通電流が流れ、その電流量が過度に大きくなることを回避するための設定である。なお、閾値電圧Ｖｔｈは、貫通電流の電流量が過度に大きくなることがないと想定される上限値以下に設定される。
【００７５】
また、上記ステップＳ２４の処理が完了する場合やステップＳ１８ａにおいて検出値ｉｖ，ｉｗの平均値に基づく異常箇所の特定処理が終了する場合には、ステップＳ７２において、短絡異常が生じたスイッチング素子の所属するアームの全スイッチング素子をオン操作する。これは、モータジェネレータ１０を流れる電流の絶対値が過度に大きくならないようにするためのものである。続くステップＳ７４においては、コンデンサ２２のプリチャージ処理を行なう。すなわち、ＳＭＲ１をオフした状態でＳＭＲ２をオン操作し、抵抗体２１によって充電電流を制限しつつ高電圧バッテリ２０の電力をコンデンサ２２に充電する。そして、プリチャージ処理が完了する場合、ステップＳ７６において、リレーＳＭＲ１をオン操作する。これにより、電流の絶対値が大きくならないようにするフェールセーフ処理中に、ＤＣＤＣコンバータ５０によって高電圧バッテリ２０の電力を低電圧バッテリ４２に充電することができることから、高電圧バッテリ２０に利用可能なエネルギがあるにもかかわらず低電圧バッテリ４２のエネルギ不足によって走行が不可能となる事態を好適に回避することができる。
＜その他の実施形態＞
なお、上記各実施形態は、以下のように変更して実施してもよい。
【００７６】
「特定手段について」
上記第１の実施形態において、第２の実施形態のように、同一アームの２相のスイッチング素子をオン操作する手法によって、短絡異常箇所を特定してもよい。この場合、短絡異常箇所の特定後におけるフェールセーフ処理としても上記第２の実施形態の手法を用いてもよい。もっとも、消費電力を低減する上では、フェールセーフ処理については、上記第１の実施形態の手法を採用することが望ましい。
【００７７】
また、特定手段としては、モータジェネレータ１０の全端子の電位が同一とならないスイッチングパターンの全てを試みるものに限らない。例えば上記第１の実施形態における６パターンのうちの１つを除いてもよい。すなわち、この場合、試された５つのパターンによっては検出値ｉｖ，ｉｗが検出可能範囲内に収まらなかった場合、試されなかったパターンに対応するスイッチング素子に短絡異常があると特定することができる。
【００７８】
特定手段としては、検出値ｉｖ，ｉｗが検出可能範囲内に収まるか否かに基づくものに限らず、例えばこれら平均値とゼロ点との差が規定値以下に変化するか否かに基づくものであってもよい。
【００７９】
待機手段を備える代わりに、スイッチング素子Ｓ＊＃をオン操作することで、スイッチング素子Ｓ＊＃およびこれに直列接続されるスイッチング素子を貫通する電流が流れる場合、スイッチング素子Ｓ＊＃に直列接続されるスイッチング素子に短絡異常が生じていると特定してもよい。ちなみに、コンデンサ２２の充電電圧が高い場合、スイッチング素子Ｓ＊＃をオン操作することで、スイッチング素子Ｓ＊＃とこれに直列接続されたスイッチング素子とに貫通電流が流れ、この貫通電流は過電流判定閾値を超えると考えられるため、フェール信号ＦＬが再度出力されることをもって貫通電流が流れたと判断できる。
【００８０】
「フェールセーフ手段について」
上記第１、第２の実施形態にかかるフェールセーフ手段としても、過電流が検出される場合にインバータＩＶをシャットダウンして且つ、短絡異常箇所が特定された時点でその際のスイッチング状態を維持するものに限らない。例えば上記第１の実施形態において、短絡異常箇所が特定されるか否かにかかわらず、「１」〜「６」のスイッチング操作を全て試みるようにしてもよい。この場合、検出値ｉｖ，ｉｗが検出可能範囲内に収まるようになるスイッチング状態が１度より多くなる可能性がある。これは、図１１に例示するように、短絡異常箇所が２箇所となる場合に生じる。この例では、Ｖ相の上側アームとＷ相の下側アームとに短絡異常が生じた場合を例示している。この場合、Ｖ相の下側アームのオン操作と、Ｗ相の上側アームのオン操作との双方において、検出値ｉｖ，ｉｗが検出可能範囲内に収まる現象が見られると考えられる。
【００８１】
上記第４の実施形態において、原則、第１の実施形態に示した処理を実行し、低電圧バッテリ４２の電力が不足する場合に限って、ステップＳ７２〜Ｓ７６の処理に切り替えてもよい。なお、図１１に示すように、上下アームともに短絡異常が生じている場合、ステップＳ７２〜Ｓ７６の処理は行わないことが望ましい。
【００８２】
「判断手段について」
判断手段としては、ドライブユニットＤＵ内に搭載される過電流保護機能によって実現されるものに限らない。例えば、電流センサ２６，２８の出力信号を入力とする制御装置４０によって構成されるものであってもよい。
【００８３】
「電流を検出する手段について」
電流を検出する手段としては、多相回転機の１の端子の除く残りの全端子のそれぞれの電流を検出する手段を備えるものに限らない。例えば多相回転機の全端子のそれぞれを流れる電流を検出する手段を備えるものであってもよい。この場合であっても、特定のスイッチング素子のオン操作によって、検出可能範囲外の電流が検出可能範囲内に収まるようになることや、端子電流の平均値のゼロ点からのずれが低減されることなどに基づき、短絡異常箇所を特定することは有効である。
【００８４】
「回転機について」
回転機としては、ＩＰＭＳＭに限らない。例えば表面磁石同期機（ＳＰＭ）等、少なくとも永久磁石を備えるものにあっては、本願と同様の解決原理が適用可能と考えられる。
【００８５】
「そのほか」
・高電圧システムと低電圧システムとが絶縁されたもの（グランド電位が相違するもの）に限らない。
【００８６】
・ハイブリッド車としては、パラレルハイブリッド車に限らない。例えば、シリーズハイブリッド車であってもよい。また例えば、パラレル・シリーズハイブリッド車であってもよい。ただし、複数のインバータの上側アーム同士および下側アーム同士が接続されている場合、特定手段による処理は、これらと直流電源との間を開閉する手段を開状態とした後に行うことが望ましい。さらに、車載駆動源のために蓄えられるエネルギ形態が電気エネルギ（燃料電池のように電気エネルギを生成するものも含む）のみとなる電気自動車であってもよい。
【００８７】
・インバータＩＶとモータジェネレータ１０との間に開閉器を備えるものであってもよい。この場合であっても、短絡異常箇所を特定する上では、特定手段を備えることが有効である。なお、特定手段によるスイッチング素子のオン操作中においては、開閉器を閉状態とする。
【符号の説明】
【００８８】
１０…モータジェネレータ（回転機の一実施形態）、２０…高電圧バッテリ（直流電源の一実施形態））、４０…制御装置、ＩＶ…インバータ。
【図１】
0005201245.tif 000002
【図２】
0005201245.tif 000003
【図５】
0005201245.tif 000004
【図７】
0005201245.tif 000005
【図８】
0005201245.tif 000006
【図９】
0005201245.tif 000007
【図１０】
0005201245.tif 000008
【図３】
0005201245.tif 000009
【図４】
0005201245.tif 000010
【図６】
0005201245.tif 000011
【図１１】
0005201245.tif 000012